(57)【要約】【課題】コンテンツを効果的にシームレスに再生できるデバイスのコンテンツ再生方法を提供すること。【解決手段】本方法は、デバイス及び他のデバイス間の距離変化又はパワー状態変化に応じたイベントの発生有無を確認する確認ステップ、及びイベントが発生すると、他のデバイス及びデバイスの間でコンテンツに対するシームレス（ｓｅａｍｌｅｓｓ）再生を行う再生ステップを含む。これにより、複数のデバイスの間でコンテンツを効果的にシームレスに再生して、ユーザの便宜性を増大させることができる。【選択図】図１
2011045082.tif 000002
【特許請求の範囲】
【請求項１】
複数のデバイスのシームレス再生方法であって、
コンテンツ再生中である第１デバイスと、第２デバイス間のシームレス再生を行うイベントが発生すると、前記第１及び第２デバイスの属性情報を確認するステップと、
前記第１及び第２デバイスの属性情報が相互に異なると、前記第２デバイスが前記コンテンツと同じ内容のコンテンツを前記第２デバイスに対応するバージョンでシームレスに再生するように処理するシームレス再生ステップと、
を含むシームレス再生方法。
【請求項２】
前記イベントは、前記第１デバイス及び前記第２デバイス間の距離変化、前記第１デバイスのターン・オフ、シームレス再生命令入力のうち少なくとも一つであることを特徴とする請求項１に記載のシームレス再生方法。
【請求項３】
前記シームレス再生を行わせるステップは、
前記第１デバイスにおいて前記コンテンツ再生が停止した地点以後のコンテンツ部分又はブックマークが設定された地点以後のコンテンツ部分から前記第２デバイスで再生されるようにすることを特徴とする請求項１に記載のシームレス再生方法。
【請求項４】
前記シームレス再生を行わせるステップは、
前記第２デバイスに対応するコンテンツ提供者に、前記第２デバイスに対応するバージョンのコンテンツを送信することを要請するステップを含むことを特徴とする請求項１に記載のシームレス再生方法。
【請求項５】
前記シームレス再生を行わせるステップは、
前記コンテンツを前記第２デバイスに対応するバージョンのコンテンツに変換するステップと、
変換されたコンテンツを前記第２デバイスに直接送信するステップと、
を含むことを特徴とする請求項１に記載のシームレス再生方法。
【請求項６】
前記第２デバイスにおいて前記第２デバイスに対応するバージョンのコンテンツを再生する途中に、前記第１デバイスでコンテンツ再生を行わなければならないイベントが発生すると、前記第２デバイスで再生されるコンテンツと同じコンテンツを、前記第１デバイスが前記第１デバイスに対応するバージョンでシームレスに再生するように処理するステップをさらに含む請求項１に記載のシームレス再生方法。
【請求項７】
前記第１デバイスは、前記第２デバイスで再生されない部分又は前記第２デバイスでブックマーク設定された部分のコンテンツからシームレスに再生することを特徴とする請求項６に記載のシームレス再生方法。
【請求項８】
デバイスのコンテンツ再生方法であって、
前記デバイス及び他のデバイス間の距離変化又はパワー状態変化に応じたイベントの発生有無を確認する確認ステップと、
前記イベントが発生すると、前記他のデバイス及び前記デバイスの間でコンテンツに対するシームレス再生を行う再生ステップと、
を含むコンテンツ再生方法。
【請求項９】
前記再生ステップは、
前記デバイスにおいて第１画質の第１コンテンツが再生される途中に前記イベントが発生すると、前記デバイスで再生されていた前記第１コンテンツの再生部分に続いて、前記他のデバイスで前記第１コンテンツと同じ内容の第２画質の第２コンテンツをシームレスに再生するステップと、
前記他のデバイスで前記第２コンテンツが再生される途中に前記イベントが発生すると、前記他のデバイスで再生されていた前記第２コンテンツの再生部分に続いて、前記デバイスで前記第２コンテンツと同じ内容の前記第１コンテンツをシームレスに再生するステップと、
を含む請求項８に記載のコンテンツ再生方法。
【請求項１０】
前記イベントが、前記他のデバイスを携帯したユーザが前記デバイスから予め設定された距離以上に遠ざかる外出イベントである場合、
前記再生ステップは、
前記デバイスで第１画質で再生されていたコンテンツを前記他のデバイスで第２画質でシームレスに再生することを特徴とする請求項８に記載のコンテンツ再生方法。
【請求項１１】
前記外出イベントである場合、
前記再生ステップは、
前記デバイスで現在再生中であるコンテンツに対する情報を前記他のデバイスに送信するステップと、
前記他のデバイスが前記コンテンツに対する情報を利用して、前記デバイスに対する第１コンテンツ提供者と相異なる第２コンテンツ提供者から前記コンテンツを提供されるステップと、
前記提供されたコンテンツを前記デバイスで再生停止した部分から再生するステップと、
を含むことを特徴とする請求項１０に記載のコンテンツ再生方法。
【請求項１２】
前記コンテンツに対する情報は、チャネル情報又はＥＰＧ情報であり、
前記デバイスは、ＴＶで、前記他のデバイスは、携帯電話であり、
前記第１コンテンツ提供者は、地上波放送コンテンツ提供者又はケーブル放送コンテンツ提供者であり、
前記第２コンテンツ提供者は、ＤＭＢ放送コンテンツ提供者であることを特徴とする請求項１１に記載のコンテンツ再生方法。
【請求項１３】
前記イベントが、前記他のデバイスを携帯したユーザが前記デバイスから予め設定された距離内に近づく帰宅イベントである場合、
前記再生ステップは、
前記他のデバイスで第２画質で再生されていたコンテンツを前記デバイスで第１画質でシームレスに再生することを特徴とする請求項８に記載のコンテンツ再生方法。
【請求項１４】
前記帰宅イベントである場合、
前記再生ステップは、
前記他のデバイスで現在再生中であるコンテンツに対する情報を前記デバイスに送信するステップと、
前記デバイスが前記コンテンツに対する情報を利用して、前記他のデバイスに対する第２コンテンツ提供者と相異なる第１コンテンツ提供者から前記コンテンツを提供されるステップと、
前記提供されたコンテンツを前記他のデバイスで再生停止した部分から再生するステップと、
を含むことを特徴とする請求項１３に記載のコンテンツ再生方法。
【請求項１５】
前記コンテンツに対する情報は、チャネル情報又はＥＰＧ情報であり、
前記デバイスは、ＴＶで、前記他のデバイスは、携帯電話であり、
前記第１コンテンツ提供者は、地上波放送コンテンツ提供者又はケーブル放送コンテンツ提供者であり、
前記第２コンテンツ提供者は、ＤＭＢ放送コンテンツ提供者であることを特徴とする請求項１４に記載のコンテンツ再生方法。
【請求項１６】
前記再生ステップは、
前記デバイス又は前記他のデバイスが再生されていたコンテンツの中で再生停止した地点以後から相手側デバイスに送信して、前記相手側デバイスがシームレスに再生するように処理することを特徴とする請求項９に記載のコンテンツ再生方法。
【請求項１７】
前記イベントが、前記デバイスが前記コンテンツ再生中にパワー・オフされるイベントであると、
前記再生ステップは、
前記デバイスでパワー・オフされた時点以後のコンテンツが前記他のデバイスでシームレスに再生されるように処理することを特徴とする請求項８に記載のコンテンツ再生方法。
【請求項１８】
前記イベントが、前記他のデバイスが前記コンテンツ再生中にパワー・オフされるイベントであると、
前記再生ステップは、
前記他のデバイスでパワー・オフされた時点以後のコンテンツが前記デバイスでシームレスに再生されるように処理することを特徴とする請求項８に記載のコンテンツ再生方法。
【請求項１９】
前記再生ステップは、
ブックマーク設定部分又は未再生部分からシームレス再生がなされることを特徴とする請求項８に記載のコンテンツ再生方法。
【請求項２０】
ディスプレイ装置であって、
再生されたコンテンツを表示するディスプレイと、
前記ディスプレイにおいて前記コンテンツが表示される途中に携帯型端末装置との距離が予め設定された距離を超えるか、又はターン・オフ命令が入力されると、前記携帯型端末装置で前記コンテンツをシームレスに再生できるように処理する制御部とを備えるディスプレイ装置。
【請求項２１】
前記ディスプレイは、第１画質の第１コンテンツを表示し、
前記制御部は、
前記第１コンテンツに対する情報及び前記第１コンテンツのうち少なくとも一つを前記携帯型端末装置側に送信して、前記携帯型端末装置が前記第１コンテンツと同じ内容の第２画質の第２コンテンツをシームレスに再生できるようにすることを特徴とする請求項２０に記載のディスプレイ装置。
【請求項２２】
前記制御部は、
前記携帯型端末装置において第２画質の第２コンテンツが再生される途中に前記携帯型端末装置が前記距離以内に接近するか、又は前記携帯型端末装置がターン・オフすると、前記第２コンテンツに対する情報及び前記第２コンテンツのうち少なくとも一つを前記携帯型端末装置から受信して、前記第２コンテンツと同じ内容の第１画質の第１コンテンツをシームレスに再生することを特徴とする請求項２０に記載のディスプレイ装置。
【請求項２３】
携帯型端末装置であって、
タッチスクリーンと、
コンテンツをディスプレイしていたディスプレイ装置との距離が予め設定された距離を超えるか、又は前記ディスプレイ装置がターン・オフ命令が入力されると、前記タッチスクリーンを介して前記コンテンツをシームレスに再生する制御部と、
を備える携帯型端末装置。
【請求項２４】
前記制御部は、
前記ディスプレイ装置で再生されていた第１画質の第１コンテンツに対する情報及び前記第１コンテンツのうち少なくとも一つを受信して、前記タッチスクリーンを介して前記第１コンテンツと同じ内容の第２画質の第２コンテンツをシームレスに再生することを特徴とする請求項２３に記載の携帯型端末装置。
【請求項２５】
前記制御部は、
前記タッチスクリーンで第２画質の第２コンテンツが表示される途中に前記ディスプレイ装置から前記予め設定された距離以内に接近するか、又はターン・オフ命令が入力されると、前記第２コンテンツに対する情報及び前記第２コンテンツのうち少なくとも一つを前記ディスプレイ装置に送信して、前記ディスプレイ装置が前記第２コンテンツと同じ内容の第１画質の第１コンテンツをシームレスに再生できるようにすることを特徴とする請求項２３に記載の携帯型端末装置。
【発明の詳細な説明】
【技術分野】
【０００１】
本発明は、コンテンツ再生のためのデバイス及びそのコンテンツ再生方法に関する。
【背景技術】
【０００２】
多様なデジタルデバイスの登場により、ユーザが保有しているデジタルデバイスも多くなるようになった。ユーザは、デジタルデバイスに埋もれて生きているといっても言い過ぎではない。
このような多様なデジタルデバイスは、ユーザの生活を便利かつ豊かにするのに寄与した。そして、近来に至ってさらに加速化したデジタルデバイスの高性能化と多機能化は、その寄与度を一層向上させた。
【０００３】
それにも拘わらず、ユーザは、より便利で豊かな生活を追求し、その解決方法をデジタルデバイスがより高性能化し多機能化することから見出そうとしている。
しかしながら、デジタルデバイスが単独に行う機能には限界がある。そのため、ユーザが保有しているデジタルデバイスが相互融合して機能することで、デジタルデバイスが単独に行えない新しい機能が創出されるようにして、ユーザの生活をより便利で豊かにするための方案を摸索することが求められる。
【先行技術文献】
【特許文献】
【０００４】
【特許文献１】韓国特許出願公開第２００４−００５５３０６号明細書
【特許文献２】韓国特許出願公開第２００４−００３８４５６号明細書
【特許文献３】韓国特許出願公開第２００７−００２３８４８号明細書
【発明の概要】
【発明が解決しようとする課題】
【０００５】
そこで、本発明は、上記問題に鑑みてなされたものであり、本発明の目的とするところは、他のデバイスとの間でコンテンツを連続再生できるデバイス、これを利用するシステム、及びそのコンテンツ再生方法を提供することにある。
本発明の他の目的は、コンテンツをデバイスの特性に合うように鑑賞できるように再生するデバイス、これを利用するシステム、及びそのコンテンツ再生方法を提供することにある。
【課題を解決するための手段】
【０００６】
上記課題を解決するために、本発明のある観点によれば、デバイスのコンテンツ再生方法は、前記デバイス及び他のデバイス間の距離変化又はパワー状態変化に応じたイベントの発生有無を確認する確認ステップと、前記イベントが発生すると、前記他のデバイス及び前記デバイスの間でコンテンツに対するシームレス再生を行う再生ステップとを含む。
【０００７】
ここで、前記再生ステップは、前記デバイスにおいて第１画質の第１コンテンツが再生される途中に前記イベントが発生すると、前記デバイスで再生されていた前記第１コンテンツの再生部分に続いて、前記他のデバイスで前記第１コンテンツと同じ内容の第２画質の第２コンテンツをシームレスに再生するステップと、前記他のデバイスで前記第２コンテンツが再生される途中に前記イベントが発生すると、前記他のデバイスで再生されていた前記第２コンテンツの再生部分に続いて、前記デバイスで前記第２コンテンツと同じ内容の前記第１コンテンツをシームレスに再生するステップとを含むことができる。
一方、前記イベントが、前記他のデバイスを携帯したユーザが前記デバイスから予め設定された距離以上に遠ざかる外出イベントである場合、前記再生ステップは、前記デバイスで第１画質で再生されていたコンテンツを前記他のデバイスで第２画質でシームレスに再生することができる。
このように、前記外出イベントである場合、前記再生ステップは、前記デバイスで現在再生中であるコンテンツに対する情報を前記他のデバイスに送信するステップと、前記他のデバイスが前記コンテンツに対する情報を利用して、前記デバイスに対する第１コンテンツ提供者と相異なる第２コンテンツ提供者から前記コンテンツを提供されるステップと、前記提供されたコンテンツを前記デバイスで再生停止した部分から再生するステップとを含むことができる。
【０００８】
一方、前記コンテンツに対する情報は、チャネル情報又はＥＰＧ情報であり、前記デバイスは、ＴＶで、前記他のデバイスは、携帯電話であり、前記第１コンテンツ提供者は、地上波放送コンテンツ提供者又はケーブル放送コンテンツ提供者であり、前記第２コンテンツ提供者は、ＤＭＢ放送コンテンツ提供者でありうる。
一方、前記イベントが、前記他のデバイスを携帯したユーザが前記デバイスから予め設定された距離内に近づく帰宅イベントである場合、前記再生ステップは、前記他のデバイスで第２画質で再生されていたコンテンツを前記デバイスで第１画質でシームレスに再生することができる。
このように、前記帰宅イベントである場合、前記再生ステップは、前記他のデバイスで現在再生中であるコンテンツに対する情報を前記デバイスに送信するステップと、前記デバイスが前記コンテンツに対する情報を利用して、前記他のデバイスに対する第２コンテンツ提供者と相異なる第１コンテンツ提供者から前記コンテンツを提供されるステップと、前記提供されたコンテンツを前記他のデバイスで再生停止した部分から再生するステップとを含むことができる。
ここで、前記コンテンツに対する情報は、チャネル情報又はＥＰＧ情報であり、前記デバイスは、ＴＶで、前記他のデバイスは、携帯電話であり、前記第１コンテンツ提供者は、地上波放送コンテンツ提供者又はケーブル放送コンテンツ提供者であり、前記第２コンテンツ提供者は、ＤＭＢ放送コンテンツ提供者でありうる。
【０００９】
一方、前記再生ステップは、前記デバイス又は前記他のデバイスが再生されていたコンテンツの中で再生停止した地点以後から相手側デバイスに送信して、前記相手側デバイスがシームレスに再生するように処理することができる。
一方、前記イベントが、前記デバイスが前記コンテンツ再生中にパワー・オフされるイベントであると、前記再生ステップは、前記デバイスでパワー・オフされた時点以後のコンテンツが前記他のデバイスでシームレスに再生されるように処理することができる。
これに対し、前記イベントが、前記他のデバイスが前記コンテンツ再生中にパワー・オフされるイベントであると、前記再生ステップは、前記他のデバイスでパワー・オフされた時点以後のコンテンツが前記デバイスでシームレスに再生されるように処理することができる。
一方、前記再生ステップは、ブックマーク設定部分又は未再生部分からシームレス再生がなされることができる。
【００１０】
また、上記課題を解決するために、本発明の別の観点によれば、ディスプレイ装置は、再生されたコンテンツを表示するディスプレイと、前記ディスプレイにおいて前記コンテンツが表示される途中に携帯型端末装置との距離が予め設定された距離を超えるか、又はターン・オフ命令が入力されると、前記携帯型端末装置で前記コンテンツをシームレスに再生できるように処理する制御部とを備える。
【００１１】
ここで、前記ディスプレイは、第１画質の第１コンテンツを表示し、前記制御部は、前記第１コンテンツに対する情報及び前記第１コンテンツのうち少なくとも一つを前記携帯型端末装置側に送信して、前記携帯型端末装置が前記第１コンテンツと同じ内容の第２画質の第２コンテンツをシームレスに再生できるようにすることができる。
また、前記制御部は、ユーザが設定したブックマーク情報又は再生されない部分に対する情報を前記携帯型端末装置に送信して、前記携帯型端末装置が、ブックマークされた地点又は再生停止した地点のコンテンツ部分から前記第２コンテンツをシームレスに再生できるようにすることができる。
ここで、前記コンテンツに対する情報は、チャネル情報又はＥＰＧ情報であり、前記第１コンテンツは、地上波放送コンテンツ提供者又はケーブル放送コンテンツ提供者から提供され、前記第２コンテンツは、ＤＭＢ放送コンテンツ提供者から提供されることでありうる。
【００１２】
一方、前記制御部は、前記携帯型端末装置において第２画質の第２コンテンツが再生される途中に前記携帯型端末装置が前記距離以内に接近するか、又は前記携帯型端末装置がターン・オフすると、前記第２コンテンツに対する情報及び前記第２コンテンツのうち少なくとも一つを前記携帯型端末装置から受信して、前記第２コンテンツと同じ内容の第１画質の第１コンテンツをシームレスに再生することができる。
一方、前記制御部は、前記携帯型端末装置からブックマーク情報又は再生されない部分に対する情報を受信して、ブックマークされた地点又は再生停止したコンテンツ地点から前記第１コンテンツをシームレスに再生できることもできる。
一方、前記第２コンテンツに対する情報は、チャネル情報又はＥＰＧ情報であり、前記第１コンテンツは、地上波放送コンテンツ提供者又はケーブル放送コンテンツ提供者から提供され、前記第２コンテンツは、ＤＭＢ放送コンテンツ提供者から提供されることでありうる。
【００１３】
また、上記課題を解決するために、本発明の別の観点によれば、携帯型端末装置は、タッチスクリーンと、コンテンツをディスプレイしていたディスプレイ装置との距離が予め設定された距離を超えるか、又は前記ディスプレイ装置がターン・オフ命令が入力されると、前記タッチスクリーンを介して前記コンテンツをシームレスに再生する制御部とを備えることができる。
【００１４】
ここで、前記制御部は、前記ディスプレイ装置で再生されていた第１画質の第１コンテンツに対する情報及び前記第１コンテンツのうち少なくとも一つを受信して、前記タッチスクリーンを介して前記第１コンテンツと同じ内容の第２画質の第２コンテンツをシームレスに再生することができる。
また、前記制御部は、ユーザが設定したブックマーク情報又は再生されない部分に対する情報を前記ディスプレイ装置から受信して、ブックマークされた地点又は再生停止した地点のコンテンツ部分から前記第２コンテンツをシームレスに再生できる。
ここで、前記第１コンテンツに対する情報は、チャネル情報又はＥＰＧ情報であり、前記第２コンテンツは、ＤＭＢ放送コンテンツ提供者から提供されることでありうる。
【００１５】
一方、前記制御部は、前記タッチスクリーンで第２画質の第２コンテンツが表示される途中に前記ディスプレイ装置から前記予め設定された距離以内に接近するか、又はターン・オフ命令が入力されると、前記第２コンテンツに対する情報及び前記第２コンテンツのうち少なくとも一つを前記ディスプレイ装置に送信して、前記ディスプレイ装置が前記第２コンテンツと同じ内容の第１画質の第１コンテンツをシームレスに再生できるようにすることができる。
そして、前記制御部は、前記ディスプレイ装置にブックマーク情報又は再生されない部分に対する情報を送信し、前記ディスプレイ装置がブックマークされる地点又は再生停止したコンテンツ地点から前記第１コンテンツをシームレスに再生できるようにすることができる。
そして、前記第２コンテンツに対する情報は、チャネル情報又はＥＰＧ情報であり、前記第２コンテンツは、ＤＭＢ放送コンテンツ提供者から提供されることでありうる。
一方、前記タッチスクリーンは、前記コンテンツに対するシームレス再生有無を問い合わせるメッセージを表示し、前記制御部は、前記タッチスクリーンを介して前記シームレス再生を受諾するユーザ命令が入力されると、前記コンテンツをシームレスに再生できる。
【発明の効果】
【００１６】
以上説明したように本発明によれば、複数のデバイスの間でコンテンツを効果的にシームレスに再生して、ユーザの便宜性を増大させることができる。
【図面の簡単な説明】
【００１７】
【図１】本発明が適用可能なネットワークを示す図である。
【図２】ユーザが外出した場合における連続再生の説明に提供される図である。
【図３】ユーザが外出した場合における連続再生の説明に提供される図である。
【図４】ユーザが外出した場合における連続再生の説明に提供される図である。
【図５】ユーザが外出した場合における連続再生の説明に提供される図である。
【図６】ＴＶがターン・オフされる場合の連続再生の説明に提供される図である。
【図７】ユーザが帰宅した場合における連続再生の説明に提供される図である。
【図８】ユーザが帰宅した場合における連続再生の説明に提供される図である。
【図９】ユーザが帰宅した場合における連続再生の説明に提供される図である。
【図１０】ユーザが帰宅した場合における連続再生の説明に提供される図である。
【図１１】放送情報を放送と共に提供されるメタデータで具現した場合の説明に提供される図である。
【図１２】放送情報を放送と共に提供されるＥＰＧ情報で具現した場合の説明に提供される図である。
【図１３】放送情報を放送と共にディスプレイされる放送社ロゴで具現した場合の説明に提供される図である。
【図１４】ＴＶにディスプレイされた放送画面の一方の隅に放送社ロゴが現れた状況を示す図である。
【図１５】携帯電話にディスプレイされた放送画面の一方の隅に放送社ロゴが現れた状況を示す図である。
【図１６】連続再生を問い合わせるために提供するＧＵＩを例示した図である。
【図１７】連続再生を問い合わせるために提供するＧＵＩを例示した図である。
【図１８】ネットワークを構成するデバイスの詳細構成を示すブロック図である。
【図１９】ネットワークを構成するデバイスの詳細構成を示すブロック図である。
【図２０】ネットワークを構成するデバイスの詳細構成を示すブロック図である。
【図２１】ネットワークを構成するデバイスの詳細構成を示すブロック図である。
【図２２】モバイルコンテンツで鑑賞しない部分をプレミアムコンテンツで連続再生する過程の説明に提供される図である。
【図２３】ユーザによりモバイルコンテンツの特定地点にブックマークが設定された結果を表した携帯電話を示す図である。
【図２４】プレミアムコンテンツで連続再生を問い合わせるためのＧＵＩを示す図である。
【図２５】特定区間に対してブックマークが設定された結果を示す図である。
【図２６】モバイルコンテンツで鑑賞していた再度見たい部分をプレミアムコンテンツで再度再生する過程の説明に提供される図である。
【図２７】ＭＭＳで一部のみを受信したモバイルコンテンツをプレミアムコンテンツで再度再生する過程の説明に提供される図である。
【図２８】広告用に一部受信したモバイルコンテンツの全てをプレミアムコンテンツで再度再生する過程の説明に提供される図である。
【図２９】ＴＶの詳細ブロック図である。
【図３０】携帯電話の詳細ブロック図である。
【発明を実施するための形態】
【００１８】
以下に添付図面を参照しながら、本発明の好適な実施の形態について詳細に説明する。
【００１９】
＜１．ネットワークシステム構成＞
図１は、本発明の多様な実施の形態が適用可能なネットワークシステムを示す図である。図１に示すように、ネットワークシステムは、ＴＶ１１０、ホームサーバ１２０、ＡＰ（Ａｃｃｅｓｓ  Ｐｏｉｎｔ）１３０、携帯電話１４０、インターネットＩ及び移動通信網Ｍが相互通信できるように接続されて構築される。
【００２０】
図１のネットワークシステムに含まれた各デバイスは、ホームサーバ１２０を中心に通信できるように接続されている。具体的に説明すると、ホームサーバ１２０は、
１）ＴＶ１１０及びＡＰ１３０と直接接続されて通信可能であり、
２）ＡＰ１３０を介して携帯電話１４０と通信可能であり、
３）インターネットＩと移動通信網Ｍとを介しても携帯電話１４０と通信可能であり、かつ
４）「ＴＶ１１０とＡＰ１３０相互間の通信」及び「インターネットＩと移動通信網Ｍとを介してＴＶ１１０と携帯電話１４０相互間の通信」を中継する。
図１に示すネットワークシステムでは、下記のように多様な状況下で連続再生（Ｓｅａｍｌｅｓｓ  Ｐｌａｙ：途切れのない再生）が可能である。以下、詳細に説明する。
【００２１】
＜２．ユーザが外出した場合の連続再生＞
＜２−１．リアルタイム放送再生＞
図２は、ユーザがＴＶ１１０を介して放送コンテンツを視聴する途中に携帯電話１４０を携帯した状態で外出する場合に行われる連続再生の説明に提供される図である。
図２に示すように、放送再生が始まると（Ｓ２０５）、ＴＶ１１０は、ホームサーバ１２０に「放送再生報知」メッセージを送信する（Ｓ２１０）。すると、ＴＶ１１０は、ステップＳ２１０にて受信した「放送再生報知」メッセージをＡＰ１３０に伝達する（Ｓ２１５）。
【００２２】
ステップＳ２１５にて「放送再生報知」メッセージを受信したＡＰ１３０は、スキャンを介して携帯電話１４０を探索し接続を設定する（Ｓ２２０）。そして、ＡＰ１３０は、携帯電話１４０と自身との距離を測定する（Ｓ２２５）。
ステップＳ２２５での距離測定は、周期的に行われるが、周期を極めて短くする場合には、ほとんどリアルタイムでなされることができる。
ステップＳ２２５にて測定された距離が予め設定された距離を超過すると（Ｓ２３０−Ｙ）、ＡＰ１３０は、「ユーザ外出」メッセージをホームサーバ１２０に送信する（Ｓ２３５）。ステップＳ２３０での既設定された距離は、携帯電話１４０がユーザにより携帯されて家の外に行ったと推定される距離に既設定される。
ホームサーバ１２０は、ステップＳ２３５にて受信した「ユーザ外出」メッセージをＴＶ１１０に伝達する（Ｓ２４０）。
ステップＳ２４０にて「ユーザ外出」メッセージを受信したＴＶ１１０は、「連続再生問い合わせ」メッセージを生成してホームサーバ１２０に送信し（Ｓ２４５）、ホームサーバ１２０は、受信した「連続再生問い合わせ」メッセージをインターネットＩと移動通信網Ｍとを介して携帯電話１４０に伝達する（Ｓ２５０）。
【００２３】
以後、ホームサーバ１２０がインターネットＩと移動通信網Ｍとを介して携帯電話１４０から「連続再生要請」メッセージを受信すると（Ｓ２５５）、ホームサーバ１２０は、受信した「連続再生要請」メッセージをＴＶ１１０に伝達する（Ｓ２６０）。
「連続再生要請」メッセージは、「連続再生問い合わせ」メッセージに対する応答であって、ユーザが携帯電話１４０から提供されるＧＵＩを介して連続再生を命令した場合、携帯電話１４０が生成するメッセージである。
【００２４】
ステップＳ２６０にて「連続再生要請」メッセージを受信したＴＶ１１０は、現在再生中である放送に対する情報が収録された「放送情報」メッセージを生成してホームサーバ１２０に送信し（Ｓ２６５）、ホームサーバ１２０は、受信した「放送情報」メッセージをインターネットＩと移動通信網Ｍとを介して携帯電話１４０に伝達する（Ｓ２７０）。
ＴＶ１１０で現在再生中である放送に対する情報は、１）放送チャネル、２）放送タイトル、３）回数（シーズン）及び４）現在再生時点のうち少なくとも一つが含まれることができる。
【００２５】
携帯電話１４０は、ステップＳ２７０にて受信した「放送情報」メッセージに基づいて、ＴＶ１１０を介して再生中である放送（すなわち、ユーザが外出前に視聴した放送）を把握する（Ｓ２７５）。
そして、携帯電話１４０は、ステップＳ２７５にて把握された放送と同じ内容のＤＭＢ放送を選局して受信し、受信されたＤＭＢ放送を再生する（Ｓ２８０）。
これにより、ユーザは、外出前に視聴していた放送を外出後にも視聴できるようになる。
【００２６】
一方、上述した実施の形態では、ＡＰが自分と携帯電話との距離を測定して、外出又は復帰如何を決定したかの様に示したが、ＡＰとＴＶの位置は、ほとんど固定的に維持されうるので、ＡＰで算出される距離は、結局ＴＶと携帯電話との間の距離と見なすこともできる。したがって、ＡＰ−携帯電話間の距離変化に応じて外出又は復帰如何を判断することは、結局、ＴＶ−携帯電話間の距離変化によって判断することと同じであると見なすことができる。
又は、ＡＰ及びＴＶ間の距離を予め設定しておいて、ＡＰ及び携帯電話間の実際距離に設定された距離を加算して全体距離を計算した後、その結果に基づいて外出又は復帰如何を判断することもできる。
【００２７】
＜２−２．遅延された録画放送再生＞
図３は、ユーザがＴＶ１１０を介して放送コンテンツを視聴する途中に携帯電話１４０を携帯した状態で外出する場合に行われる、さらに他の連続再生の説明に提供される図である。
図３に示すステップＳ３０５〜Ｓ３４０についての詳細な説明は、図２に示すステップＳ２０５〜Ｓ２４０についての詳細な説明と同一なので、以下では、ステップＳ３４２から説明する。
【００２８】
ステップＳ３４０にて「ユーザ外出」メッセージを受信したＴＶ１１０は、現在再生中である放送に対する録画を始める（Ｓ３４２）。以後に行われるステップＳ３４５〜Ｓ３６０についての詳細な説明は、図２に示すステップＳ２４５〜Ｓ２６０についての詳細な説明と同一なので、以下では、ステップＳ３６５から説明する。
ステップＳ３６０にて「連続再生要請」メッセージを受信したＴＶ１１０は、ステップＳ３４２から録画している放送をホームサーバ１２０に送信し（Ｓ３６５）、ホームサーバ１２０は、受信した録画放送をインターネットＩと移動通信網Ｍとを介して携帯電話１４０に伝達する（Ｓ３７０）。
すると、携帯電話１４０は、ステップＳ３７０にて受信される録画放送を再生する（Ｓ３８０）。
【００２９】
これにより、ユーザは、外出前に視聴していた放送を外出後にも視聴可能であることはもちろん、「連続再生要請した時点から携帯電話１４０に放送が再生されるまで放送された部分」に対してももれなく視聴可能になる。
一方、本実施の形態では、ＴＶ１１０が放送録画を行うと想定したが、ＴＶ１１０の代わりにホームサーバ１２０が放送録画を行うことでも具現可能である。
【００３０】
＜２−３．ＴＶに格納されたコンテンツの再生＞
図４は、ユーザがＴＶ１１０に格納されたコンテンツを視聴する途中に携帯電話１４０を携帯した状態で外出する場合に行われる、さらに他の連続再生の説明に提供される図である。
図４に示すステップＳ４０５〜Ｓ４４０では、「ＴＶ１１０に格納されたコンテンツを再生」することを想定していることに対し、図２に示すステップＳ２０５〜Ｓ２４０では、「ＴＶ１１０に受信される放送を再生」することを想定している。
この点を除いて、図４に示すステップＳ４０５〜Ｓ４４０についての詳細な説明は、図２に示すステップＳ２０５〜Ｓ２４０についての詳細な説明と同一なので、以下では、ステップＳ４４２から説明する。
【００３１】
ステップＳ４４０にて「ユーザ外出」メッセージを受信したＴＶ１１０は、現在の再生地点を格納する（Ｓ４４２）。以後に行われるステップＳ４４５〜Ｓ４６０についての詳細な説明は、図２に示すステップＳ２４５〜Ｓ２６０についての詳細な説明と同一なので、以下では、ステップＳ４６５から説明する。
Ｓ４６０にて「連続再生要請」メッセージを受信したＴＶ１１０は、格納されたコンテンツをホームサーバ１２０に送信するものの、ステップＳ４４２にて格納された再生地点から送信する（Ｓ４６５）。ホームサーバ１２０は、ステップＳ４６５にて受信されるコンテンツをインターネットＩと移動通信網Ｍとを介して携帯電話１４０に伝達する（Ｓ４７０）。
すると、携帯電話１４０は、ステップＳ４７０にて受信されるコンテンツを再生する（Ｓ４８０）。
これにより、ユーザは、外出前に視聴していたコンテンツを外出後にも連続して視聴できるようになる。
【００３２】
＜２−４．ホームサーバに格納されたコンテンツの再生＞
図５は、ユーザがホームサーバ１２０に格納されたコンテンツを視聴する途中に携帯電話１４０を携帯した状態で外出する場合に行われる、さらに他の連続再生の説明に提供される図である。
図５に示すように、まずＴＶ１１０は、ユーザが選択したコンテンツをホームサーバ１２０に要請するための「コンテンツ要請」メッセージを送信し（Ｓ５０１）、これに対する応答としてホームサーバ１２０からユーザが選択したコンテンツを受信する（Ｓ５０３）。
以後に行われるステップＳ５０５〜Ｓ５６０についての詳細な説明は、図４に示すステップＳ４０５〜Ｓ４６０についての詳細な説明から類推可能なので、以下では、ステップＳ５６５から説明する。
【００３３】
Ｓ５６０にて「連続再生要請」メッセージを受信したＴＶ１１０は、ステップＳ５４２にて格納された再生地点に対する情報をホームサーバ１２０に送信する（Ｓ５６５）。
すると、ホームサーバ１２０は、コンテンツをインターネットＩと移動通信網Ｍとを介して携帯電話１４０に送信するものの、ステップＳ５６５にて受信した再生地点から送信する（Ｓ５７０）。
すると、携帯電話１４０は、ステップＳ５７０にて受信されるコンテンツを再生する（Ｓ５８０）。
これにより、ユーザは、外出前に視聴していたコンテンツを外出後にも連続して視聴できるようになる。
【００３４】
＜３．ＴＶがパワー・オフ状態になる場合の連続再生＞
図６は、ユーザがＴＶ１１０を介して放送又はコンテンツを視聴する途中に外出するために、ＴＶ１１０をパワー・オフ命令した場合に行われる連続再生の説明に提供される図である。
図６に示すように、放送又はコンテンツの再生中に（Ｓ６１０）、ＴＶ１１０に対するパワー・オフ命令がユーザから入力されると（Ｓ６２０−Ｙ）、ステップＳ６３０が行われる。
【００３５】
具体的に説明すると、
１）リアルタイム放送再生の場合、ステップＳ６２０では、図２のステップＳ２４５〜Ｓ２８０が行われ、
２）遅れた録画放送再生の場合、ステップＳ６２０では、図３のステップＳ３４２〜Ｓ３８０が行われ、
３）ＴＶに格納されたコンテンツ再生の場合、ステップＳ６２０では、図４のステップＳ４４２〜Ｓ４８０が行われ、
４）ホームサーバに格納されたコンテンツ再生の場合、ステップＳ６２０では、図５のステップＳ５４２〜Ｓ５８０が行われる。
ステップＳ６２０にて行われる他の図面に示されたステップは、予め説明したので省略する。
これにより、ユーザは、ＴＶ１１０をパワー・オフ命令した場合にも、携帯電話１４０を介してＴＶ１１０で視聴していた放送又はコンテンツを連続して視聴できるようになる。
【００３６】
＜４．ユーザが帰宅した場合の連続再生＞
＜４−１．リアルタイム放送再生＞
図７は、図２に示す方法によりユーザが携帯電話１４０を介してリアルタイム放送を視聴する途中に帰宅する場合に行われる連続再生の説明に提供される図である。
図７に示すように、携帯電話１４０を介してリアルタイム放送が再生されるうちに（Ｓ７０５）、携帯電話１４０とＡＰ１３０との間に通信接続が設定されると（Ｓ７１０）、ＡＰ１３０は、携帯電話１４０と自身との距離を測定する（Ｓ７１５）。
携帯電話１４０とＡＰ１３０との間に通信接続が設定される時点は、携帯電話１４０を携帯したユーザが家の近くに到着した時点である。
【００３７】
一方、ステップＳ７１５での距離測定は、周期的に行われるが、周期を極めて短くする場合には、ほとんどリアルタイムでなされることができる。
ステップＳ７１５にて測定された距離が予め設定された距離以下であると（Ｓ７２０−Ｙ）、ＡＰ１３０は、「ユーザ帰宅」メッセージをホームサーバ１２０に送信する（Ｓ７２５）。ステップＳ７２０での予め設定された距離は、携帯電話１４０を携帯しているユーザが家の中へ入ったと推定される距離に既設定される。
ホームサーバ１２０は、ステップＳ７２５を介してＡＰ１３０から受信した「ユーザ帰宅」メッセージをＴＶ１１０に伝達する（Ｓ７３０）。
【００３８】
以後、ホームサーバ１２０がＴＶ１１０から「連続再生要請」メッセージを受信すると（Ｓ７３５）、ホームサーバ１２０は、受信した「連続再生要請」メッセージをＡＰ１３０に伝達する（Ｓ７４０）。すると、ＡＰ１３０は、ステップＳ７４０にて受信した「連続再生要請」メッセージを携帯電話１４０に伝達する（Ｓ７４５）。
ステップＳ７４５にて「連続再生要請」メッセージを受信した携帯電話１４０は、現在再生中である放送に対する情報が収録された「放送情報」メッセージを生成して、ＡＰ１３０に送信する（Ｓ７５０）。
すると、ＡＰ１３０は、ステップＳ７５０にて受信した「放送情報」メッセージをホームサーバ１２０で伝達し（Ｓ７５５）、ホームサーバ１２０は、ステップＳ７５５にて受信した「放送情報」メッセージをＴＶ１１０に伝達する（Ｓ７６０）。
【００３９】
携帯電話１４０で現在再生中である放送に対する情報は、１）放送チャネル、２）放送タイトル、３）回数（シーズン）及び４）現在再生時点のうち少なくとも一つが含まれることができる。
ＴＶ１１０は、ステップＳ７６０にて受信した「放送情報」メッセージに基づいて、携帯電話１４０を介して再生中である放送（すなわち、ユーザが帰宅前に視聴した放送）を把握する（Ｓ７６５）。
そして、ＴＶ１１０は、ステップＳ７６５にて把握された放送と同じ内容の地上波放送又はケーブル放送を選局して受信し、受信された放送を再生する（Ｓ７７０）。
これにより、ユーザは、帰宅前に携帯電話１４０を介してリアルタイムで視聴していた放送を帰宅後にＴＶ１１０を介して大型画面で連続して視聴できるようになる。
【００４０】
＜４−２．遅延された録画放送再生＞
図８は、図３に示す方法によりユーザが携帯電話１４０を介してＴＶ１１０に録画された放送を遅延視聴する途中に帰宅する場合に行われる連続再生の説明に提供される図である。
図８に示すステップＳ８０５〜Ｓ８４５では、「ＴＶ１１０に録画された放送を遅延再生」することを想定していることに対し、図７に示すステップＳ７０５〜Ｓ７４５では、「ＴＶ１１０に受信される放送をリアルタイム再生」することを想定している。
この点を除いて、図８に示すステップＳ８０５〜Ｓ８４５についての詳細な説明は、図７に示すステップＳ７０５〜Ｓ７４５についての詳細な説明と同一なので、以下では、ステップＳ８５０から説明する。
【００４１】
ステップＳ８４５にて「連続再生要請」メッセージを受信した携帯電話１４０は、現在再生中である録画放送の再生時点に対する情報が収録された「録画放送再生時点」メッセージを生成してＡＰ１３０に送信する（Ｓ８５０）。
すると、ＡＰ１３０は、ステップＳ８５０にて受信した「録画放送再生時点」メッセージをホームサーバ１２０に伝達し（Ｓ８５５）、ホームサーバ１２０は、ステップＳ８５５にて受信した「録画放送再生時点」メッセージをＴＶ１１０に伝達する（Ｓ８６０）。
すると、ＴＶ１１０は、自分に格納されている録画放送を再生するものの、ステップＳ８６０にて受信した録画放送再生時点から再生する（Ｓ８７０）。
これにより、ユーザは、帰宅前に携帯電話１４０を介して視聴していた録画放送を帰宅後にＴＶ１１０を介して大型画面で連続して視聴できるようになる。
【００４２】
＜４−３．ＴＶに格納されたコンテンツ再生＞
図９は、図４に示す方法によりユーザが携帯電話１４０を介してＴＶ１１０に格納されたコンテンツを視聴する途中に帰宅する場合に行われる連続再生の説明に提供される図である。
図９に示すステップＳ９０５〜Ｓ９４５では、「ＴＶ１１０に格納されたコンテンツを再生」することを想定していることに対し、図７に示すステップＳ７０５〜Ｓ７４５では、「ＴＶ１１０に受信される放送をリアルタイム再生」することを想定している。
この点を除いて、図９に示すステップＳ９０５〜Ｓ９４５についての詳細な説明は、図７に示すステップＳ７０５〜Ｓ７４５についての詳細な説明と同一なので、以下では、ステップＳ９５０から説明する。
【００４３】
ステップＳ９４５にて「連続再生要請」メッセージを受信した携帯電話１４０は、現在再生中であるコンテンツの再生時点に対する情報が収録された「コンテンツ再生時点」メッセージを生成してＡＰ１３０に送信する（Ｓ９５０）。
すると、ＡＰ１３０は、ステップＳ９５０にて受信した「コンテンツ再生時点」メッセージをホームサーバ１２０に伝達し（Ｓ９５５）、ホームサーバ１２０は、ステップＳ９５５にて受信した「コンテンツ再生時点」メッセージをＴＶ１１０に伝達する（Ｓ９６０）。
すると、ＴＶ１１０は、自分に格納されているコンテンツを再生するものの、ステップＳ９６０にて受信したコンテンツ再生時点から再生する（Ｓ９７０）。
これにより、ユーザは、帰宅前に携帯電話１４０を介して視聴していたコンテンツを帰宅後にＴＶ１１０を介して大型画面で連続して視聴できるようになる。
【００４４】
＜４−４．ＴＶに格納されたコンテンツの再生＞
図１０は、図５に示す方法によりユーザが携帯電話１４０を介してホームサーバ１２０に格納されたコンテンツを視聴する途中に帰宅する場合に行われる連続再生の説明に提供される図である。
図１０に示すステップＳ１００５〜Ｓ１０７０では、「ホームサーバ１２０に格納されたコンテンツを再生」することを想定していることに対し、図９に示すステップＳ９０５〜Ｓ９７０では、「ＴＶ１１０に格納されたコンテンツを再生」することを想定している。
この点を除いて、図１０に示す連続再生方法についての詳細な説明は、図９に示す連続再生方法についての詳細な説明と同一なので、省略する。
【００４５】
＜５．放送情報＞
図２では、連続再生のために、ＴＶ１１０で現在再生中である放送に対する放送情報が携帯電話１４０に伝達されると想定した。そして、図７では、連続再生のために、携帯電話１４０で現在再生中である放送に対する放送情報がＴＶ１１０に伝達されると想定した。
以下では、、ＴＶ１１０と携帯電話１４０との間に伝達される放送情報についての詳細に説明する。
【００４６】
＜５−１．メタデータ＞
「放送情報」は、放送と共に提供される「メタデータ」で具現できるが、以下、図１１に示すネットワークを参照して具体的に説明する。
図１１に示すネットワークにおいて、コンテンツ提供者−１  １０は、ＴＶ１１０に放送を提供するとき、「携帯電話１４０がコンテンツ提供者−２  ２０から同じ放送を提供されうるチャネルに対する情報」をメタデータの形態で共に提供する。
例えば、コンテンツ提供者−１  １０は、ＴＶ１１０にＳ−放送を提供するが、このＳ−放送は、コンテンツ提供者−２  ２０から携帯電話１４０に２０番チャネルを介して提供されると仮定すると、コンテンツ提供者−１  １０は、ＴＶ１１０に「チャネル２０」をメタデータの形態で共に提供する。
これにより、図２のステップＳ２６０で連続再生要請を受信したＴＶ１１０は、「携帯電話１４０で同じ放送を提供されうるチャネル」に対する情報を携帯電話１４０に伝達する（Ｓ２６５及びＳ２７０）。
【００４７】
携帯電話１４０は、ステップＳ２７０にて受信したチャネル情報を参照して、コンテンツ提供者−２  ２０から放送を選局して受信及び再生するようになる。
一方、図１１に示すネットワークで、コンテンツ提供者−２  ２０も携帯電話１４０に放送を提供するとき、「ＴＶ１１０がコンテンツ提供者−１  １０から同じ放送を提供されうるチャネルに対する情報」をメタデータの形態で共に提供する。
例えば、コンテンツ提供者−２  ２０は、携帯電話１４０にＳ−放送を提供するが、このＳ−放送は、コンテンツ提供者−１  １０からＴＶ１１０に１０番チャネルを介して提供されると仮定すると、コンテンツ提供者−２  ２０は、携帯電話１４０に「チャネル１０」をメタデータの形態で共に提供する。
【００４８】
これにより、図７のステップＳ７４５にて連続再生要請を受信した携帯電話１４０は、「ＴＶ１１０で同じ放送を提供されうるチャネルに対する情報」をＴＶ１１０に伝達する（Ｓ７５０〜Ｓ７６０）。
ＴＶ１１０は、ステップＳ７６０にて受信したチャネル情報を参照して、コンテンツ提供者−１  １０から放送を選局して、受信及び再生するようになる。
一方、図１１においてＴＶ１１０に放送を提供するコンテンツ提供者−１  １０と携帯電話１４０に放送を提供するコンテンツ提供者−２  ２０とを別個に具現したが、これらを一つに統合して具現しうることはもちろんである。
【００４９】
＜５−２．ＥＰＧ情報＞
「放送情報」は、放送と共に提供される「ＥＰＧ情報」で具現できるが、以下、図１２に示すネットワークを参照して具体的に説明する。
図１２に示すネットワークにおいて、コンテンツ提供者−１  １０は、ＴＶ１１０に放送を提供し、ＥＰＧ提供者−１  １５は、ＴＶ１１０が提供されている放送に対するＥＰＧ情報を提供する。コンテンツ提供者−１  １０とＥＰＧ提供者−１  １５とは、同じ提供者に所属されることができ、この場合、両者を統合することが可能である。
【００５０】
「ＴＶ１１０が提供されいる放送に対するＥＰＧ情報」には、「コンテンツ提供者−２  ２０が提供する同じ放送に対する情報」が含まれている。
これにより、図２のステップＳ２６０で連続再生要請を受信したＴＶ１１０は、ＥＰＧ情報を携帯電話１４０に伝達する（Ｓ２６５及びＳ２７０）。
すると、携帯電話１４０は、ステップＳ２７０にて受信したＥＰＧ情報から「コンテンツ提供者−２  ２０が提供する同じ放送に対する情報」を抽出して、コンテンツ提供者−２  ２０から放送を選局して受信及び再生するようになる。
一方、ＥＰＧ情報は、ユーザの要請がある時のみにＥＰＧ提供者−１  １５からＴＶ１１０に提供されるか、又はユーザの要請がなくても自動的に提供されることと具現できる。
【００５１】
また、「ＴＶ１１０が提供されいる放送に対するＥＰＧ情報」に「コンテンツ提供者−２  ２０が提供する同じ放送に対する情報」が含まれていることではなく、別途の情報提供者（図示せず）が「コンテンツ提供者−２  ２０が提供する同じ放送に対するＥＰＧ情報」をＴＶ１１０に提供することで具現することも可能であることはもちろんである。
そして、図２のステップＳ２６５及びＳ２７０にて、ＴＶ１１０は、ＥＰＧ情報のうち、「コンテンツ提供者−２  ２０が提供する同じ放送に対する情報」のみを携帯電話１４０に伝達することで具現することも可能である。
一方、図１２に示すネットワークにおいて、コンテンツ提供者−２  ２０は、携帯電話１４０に放送を提供し、ＥＰＧ提供者−２  ２５は、携帯電話１４０が提供されている放送に対するＥＰＧ情報を提供する。コンテンツ提供者−２  ２０とＥＰＧ提供者−２  ２５とは、同じ提供者に所属されることができ、この場合、両者を統合することが可能である。
【００５２】
「携帯電話１４０が提供されている放送に対するＥＰＧ情報」には、「コンテンツ提供者−１  １０が提供する同じ放送に対する情報」が含まれている。
これにより、図７のステップＳ７４５にて連続再生要請を受信した携帯電話１４０は、ＥＰＧ情報をＴＶ１１０に伝達する（Ｓ７５０〜Ｓ７６０）。
すると、ＴＶ１１０は、ステップＳ７６０にて受信したＥＰＧ情報から「コンテンツ提供者−１  １０が提供する同じ放送に対する情報」を抽出して、コンテンツ提供者−１  １０から放送を選局して受信及び再生するようになる。
一方、ＥＰＧ情報は、ユーザの要請がある時のみにＥＰＧ提供者−２  ２５から携帯電話１４０に提供されるか、又は、ユーザの要請がなくても自動的に提供されることと具現できる。
【００５３】
また、「携帯電話１４０が提供されている放送に対するＥＰＧ情報」に「コンテンツ提供者−１  １０が提供する同じ放送に対する情報」が含まれていることではなく、別途の情報提供者（図示せず）が「コンテンツ提供者−１  １０が提供する同じ放送に対するＥＰＧ情報」を携帯電話１４０に提供することで具現することも可能であることはもちろんである。
そして、図７のステップＳ７５０〜Ｓ７６０において、携帯電話１４０は、ＥＰＧ情報のうち、「コンテンツ提供者−１  １０が提供する同じ放送に対する情報」のみをＴＶ１１０に伝達することで具現することも可能である。
【００５４】
＜５−３．放送社ロゴ（ｌｏｇｏ）＞
「放送情報」は、放送と共にディスプレイされる「放送社ロゴ」で具現できるところ、以下、図１３〜図１５を参照して具体的に説明する。
図１４に示すように、ＴＶ１１０で放送をディスプレイする場合、放送画面の一方の隅には、放送社ロゴが現れる。ＴＶ１１０は、放送画面に現れた放送社ロゴを認識することができる。そして、ＴＶ１１０は、認識した放送社ロゴを情報提供者−１  １７に送信して「携帯電話１４０に提供される放送のうち、認識されたロゴを使用する放送社が提供する放送に対する情報」を提供されることができる。
これにより、図２のステップＳ２６０にて連続再生要請を受信したＴＶ１１０は、「認識されたロゴを使用する放送社が携帯電話１４０に提供する放送」に対する情報を携帯電話１４０に伝達する（Ｓ２６５及びＳ２７０）。
すると、携帯電話１４０は、ステップＳ２７０にて受信した情報を基に、コンテンツ提供者−２  ２０から放送を選局して受信及び再生するようになる。
【００５５】
一方、図２のステップＳ２６５及びＳ２７０にてＴＶ１１０は、認識した放送社ロゴに対する情報を携帯電話１４０に提供し、携帯電話１４０は、放送社ロゴに対する情報をコンテンツ提供者−２  ２０に伝達して、伝達したロゴを使用する放送社の放送を直に受信するように具現することも可能である。
それだけでなく、携帯電話１４０は、放送社ロゴに対する情報をコンテンツ提供者−２  ２０ではない情報提供者−２２７に伝達して、伝達したロゴを使用する放送社の放送に対する情報を提供され、提供された情報を利用してコンテンツ提供者−２  ２０から放送を受信するように具現することも可能である。
【００５６】
一方、図１５に示すように、携帯電話１４０で放送をディスプレイする場合、放送画面の一方の隅には、放送社ロゴが現れる。携帯電話１４０は、放送画面に現れた放送社ロゴを認識することができる。そして、携帯電話１４０は、認識した放送社ロゴを情報提供者−２２７に送信して、「ＴＶ１１０に提供される放送のうち、認識されたロゴを使用する放送社が提供する放送に対する情報」を提供されることができる。
これにより、図７のステップＳ７４５にて連続再生要請を受信した携帯電話１４０は、「認識されたロゴを使用する放送社がＴＶ１１０に提供する放送に対する情報」をＴＶ１１０に伝達する（Ｓ７５０〜Ｓ７６０）。
すると、ＴＶ１１０は、ステップＳ７６０にて受信した情報に基づいて、コンテンツ提供者−１  １０から放送を選局して受信及び再生するようになる。
【００５７】
一方、図７のステップＳ７５０〜Ｓ７６０にて携帯電話１４０は、認識した放送社ロゴに対する情報をＴＶ１１０に提供し、ＴＶ１１０は、放送社ロゴに対する情報をコンテンツ提供者−１  １０に伝達して、伝達したロゴを使用する放送社の放送を直に受信するように具現することも可能である。
それだけでなく、ＴＶ１１０が放送社ロゴに対する情報をコンテンツ提供者−１  １０ではない情報提供者−１  １７に伝達して、伝達したロゴを使用する放送社の放送に対する情報を提供され、提供された情報を利用してコンテンツ提供者−１  １０から放送を受信するように具現することも可能である。
【００５８】
＜６．ＧＵＩ＞
図１６には、図２のステップＳ２５０、図３のステップＳ３５０、図４のステップＳ４５０及び図５のステップＳ５５０にて「連続再生問い合わせ」メッセージを受信した携帯電話１４０がユーザに連続再生を問い合わせるために提供するＧＵＩを例示した。
そして、図１７には、図７のステップＳ７３０、図８のステップＳ８３０、図９のステップＳ９３０及び図１０のステップＳ１０３０にて「ユーザ帰宅」メッセージを受信したＴＶ１１０がユーザに連続再生を問い合わせるために提供するＧＵＩを例示した。
【００５９】
＜７．ネットワークの変形＞
図１に示すネットワークは、例示的なものに過ぎない。図示のネットワークは、他の方式で具現可能である。
例えば、ＴＶ１１０にホームサーバ１２０の機能を統合させ、ホームサーバ１２０を省略することが可能である。この場合や図１に示す場合は、ＴＶ１１０と携帯電話１４０とがＡＰ１３０を介してコンテンツ、メッセージ、その他の情報などを送受信するようになる。この場合は、ＴＶ１１０と携帯電話１４０とが基盤構造（Ｉｎｆｒａ  Ｓｔｒｕｃｔｕｒｅ）ネットワーク通信方式に従って通信するといえる。
また、ＴＶ１１０と携帯電話１４０とがＡＰ１３０の中継無しで直接通信できるように接続されて、ＴＶ１１０と携帯電話１４０との間にコンテンツ、メッセージ、その他の情報などが直接送受信されるように具現可能である。この場合、ＴＶ１１０と携帯電話１４０とは、アドホック（Ａｄ−ｈｏｃ）ネットワークを構成して、アドホックネットワーク通信方式に従って通信しているといえる。
【００６０】
＜８．ネットワークを構成するデバイスの詳細構成＞
＜８−１．ＴＶ＞
図１８は、図１に示すＴＶ１１０の詳細ブロック図である。図１８に示すように、ＴＶ１１０は、放送受信部１１１、ディスプレイ１１２、制御部１１３、格納部１１４及びネットワークインターフェース１１５を備える。
放送受信部１１１は、ＴＶ１１０本然の機能を担当するブロックであって、空中（Ａｉｒ）、ケーブル、衛星などを介して放送を受信する。
ディスプレイ１１２は、放送受信部１１１に受信された放送と前述したＧＵＩとがディスプレイされる。
【００６１】
格納部１１４は、ＴＶ１１０の駆動に必要なプログラムとデータ及びコンテンツと録画放送が格納される格納空間を提供する。
ネットワークインターフェース１１５は、周辺のホームサーバ１２０と通信できるように接続される。
制御部１１３は、図２〜図１０に示すステップのうち、ＴＶ１１０で行われるステップが行われるように、放送受信部１１１、ディスプレイ１１２、格納部１１４及びネットワークインターフェース１１５を制御する。
【００６２】
＜８−２．ホームサーバ＞
図１９は、図１に示すホームサーバ１２０の詳細ブロック図である。図１９に示すように、ホームサーバ１２０は、ディスプレイ１２１、制御部１２２、格納部１２３及びネットワークインターフェース１２４を備える。
ディスプレイ１２１は、ホームサーバ１２０の動作状態、制御画面などをディスプレイする。
【００６３】
格納部１２３は、ホームサーバ１２０の駆動に必要なプログラムとデータ及びコンテンツが格納される格納空間を提供する。
ネットワークインターフェース１２４は、周辺のＴＶ１１０及びＡＰ１３０と通信できるように接続され、インターネットＩにアクセスする。
制御部１２２は、図２〜図１０に示すステップのうち、ホームサーバ１２０で行われるステップが行われるように、ディスプレイ１２１、格納部１２３及びネットワークインターフェース１２４を制御する。
【００６４】
＜８−３．ＡＰ＞
図２０は、図１に示すＡＰ１３０の詳細ブロック図である。図２０に示すように、ＡＰ１３０は、制御部１３１、格納部１３２及びネットワークインターフェース１３３を備える。
格納部１３２は、ＡＰ１３０の駆動に必要なプログラムとデータとが格納される格納空間を提供する。
ネットワークインターフェース１３３は、周辺のホームサーバ１２０及び携帯電話１４０と通信できるように接続される。
制御部１３１は、図２〜図１０に示すステップのうち、ＡＰ１３０で行われるステップが行われるように、格納部１３２及びネットワークインターフェース１３３を制御する。
【００６５】
＜８−４．携帯電話＞
図２１は、図１に示す携帯電話１４０の詳細ブロック図である。図２１に示すように、携帯電話１４０は、移動通信部１４１、タッチスクリーン１４２、制御部１４３、格納部１４４及びネットワークインターフェース１４５を備える。
移動通信部１４１は、携帯電話１４０本然の機能と付随的機能を担当するブロックであって、移動電話通話、ＳＭＳ、ＤＭＢ放送受信、撮影などを行う。
タッチスクリーン１４２は、移動通信部１４１の移動電話通話、ＳＭＳ提供に必要な画面、ＤＭＢ放送、コンテンツ及び前述したＧＵＩがディスプレイされるディスプレイ手段の機能と、タッチを介したユーザ命令を入力される手段の機能とを共に行う。
【００６６】
格納部１１４は、携帯電話１４０の駆動に必要なプログラムとデータ及びコンテンツが格納される格納空間を提供する。
ネットワークインターフェース１４５は、周辺のＡＰ１３０と通信できるように接続される。
制御部１４３は、図２〜図１０に示すステップのうち、携帯電話１４０で行われるステップが行われるように、移動通信部１４１、タッチスクリーン１４２、制御部１４３、格納部１４４及びネットワークインターフェース１４５を制御する。
【００６７】
＜８−５．他のデバイス＞
図１に示すネットワークは、例示的なものにすぎない。図１に示すものと異なる種類のデバイスから構成されるネットワークの場合も、本発明が適用されうる。
【００６８】
＜９．コンテンツの変換＞
上述した本発明の多様な実施の形態によれば、複数のデバイスの間でコンテンツの連続再生がなされることができる。一方、各デバイスは、各々異なる特性を有することができる。すなわち、携帯電話やＰＤＡなどのような携帯型デバイスは、そのサイズの制約により、ディスプレイ画面が小型で、信号変換チップもやはり多様に集積され難いという特性がある。これに比べて、ＴＶやモニターのようなデバイスは、サイズに対する制約が相対的に小さいから、大型ディスプレイ画面を具備することができ、信号変換チップもやはり多様な種類及び個数で用意して置くことができるという特性がある。
したがって、同じコンテンツであっても、他のデバイスで再生する場合、そのデバイスの特性に合うコンテンツを再生することが合理的でありえる。
以下、複数のデバイスの間でコンテンツが連続的に再生される場合だけでなく、コンテンツが全て再度再生される場合などに対して、適応的にコンテンツを再生する方法と関連した多様な実施の形態を開示する。
【００６９】
＜９−１．モバイルコンテンツで鑑賞しない部分をプレミアムコンテンツで連続再生＞
＜９−１−１．携帯電話でモバイルコンテンツを再生＞
図２２は、モバイルコンテンツで鑑賞しない部分をプレミアムコンテンツで連続再生する過程の説明に提供される図である。
図２２に示すように、携帯電話１１２０がＣＰ（Ｃｏｎｔｅｎｔｓ  Ｐｒｏｖｉｄｅｒ）１１３０にモバイルコンテンツの購買を要請すると（Ｓ２２０５）、ＣＰ１１３０は、購買要請されたモバイルコンテンツを携帯電話１１２０に送信する（Ｓ２２１０）。
携帯電話１１２０は、モバイルコンテンツをダウンロードして再生する（Ｓ２２１５）。これにより、ユーザは、携帯電話１１２０を介してモバイルコンテンツを鑑賞できるようになる。モバイルコンテンツは、解像度と画質との低いコンテンツでディスプレイが小さな携帯電話１１２０で鑑賞するのに適した低価のコンテンツになりうる。
【００７０】
一方、携帯電話１１２０を介してモバイルコンテンツを鑑賞するのに適しない状況が発生すると（例えば、バスや地下鉄から降りる場合、携帯電話１１２０のバッテリーの残量が多くない場合等）、ユーザは、現在再生地点にブックマークを設定することができる。
ユーザによりブックマークが設定されると（Ｓ２２２０−Ｙ）、携帯電話１１２０は、ブックマーク地点に対する情報を格納する（Ｓ２２２５）。図２３には、ユーザによりモバイルコンテンツの特定地点にブックマークが設定された結果を表した携帯電話１１２０を示した。
【００７１】
＜９−１−２．モバイルコンテンツにおいてプレミアムコンテンツで連続再生するための準備手順＞
一方、ユーザが帰宅して携帯電話１１２０とＴＶ１１１０とが近距離に隣接すると（Ｓ２２３０）、携帯電話１１２０とＴＶ１１１０とは、相互通信できるように接続を設定する（Ｓ２２３５）。
ステップＳ２２３５の接続設定が完了すると、携帯電話１１２０は、コンテンツ＆ブックマーク情報をＴＶ１１１０に送信する（Ｓ２２４０）。ステップＳ２２４０を介して携帯電話１１２０からＴＶ１１１０に送信されるコンテンツ＆ブックマーク情報は、１）ブックマークが設定されたモバイルコンテンツに対する情報［例えば、このモバイルコンテンツのタイトル、回数（シーズン）］及び２ブックマーク地点に対する情報を含む。
【００７２】
以後、ＴＶ１１１０は、「プレミアムコンテンツで連続再生を問い合わせるためのＧＵＩ」を生成して表示する（Ｓ２２４５）。プレミアムコンテンツは、モバイルコンテンツより解像度が高く、かつ画質が良いコンテンツであって、ディスプレイの大きなＴＶ１１１０で鑑賞するのに適した高価のコンテンツになりうる。
また、「プレミアムコンテンツで連続再生を問い合わせるためのＧＵＩ」は、ブックマーク地点以後のモバイルコンテンツに対して、プレミアムコンテンツを購買して連続再生するか否かを問い合わせるためのＧＵＩである。
【００７３】
図２４には、このＧＵＩが表示されたＴＶ１１１０が示されている。図２４に示されたことによると、ＴＶ１１１０には、ブックマークされた地点のシーンが表示されており、このシーン上にＧＵＩが表示されていることが確認できる。
図２４に示すＴＶ１１１０に表示されたシーンは、携帯電話１１２０から送信されたモバイルコンテンツの該当シーンを拡大して生成したものであるので、画質はよくない。
ユーザは、現在ＴＶ１１１０の画面に表示されたブックマークされたシーンの画質を基に、ブックマーク地点以後のモバイルコンテンツに対しては、プレミアムコンテンツに変えて鑑賞するか否かを決定するようになる。
【００７４】
＜９−１−３．ＴＶでプレミアムコンテンツで連続再生＞
ステップＳ２２４５を介して提供されたＧＵＩを介してユーザが「プレミアムコンテンツで連続再生」を命令すると（Ｓ２２５０−Ｙ）、ＴＶ１１１０は、ステップＳ２２４０にて受信された情報から把握したモバイルコンテンツと同じ内容のプレミアムコンテンツ購買をＣＰ１１３０に要請するものの、ステップＳ２２４０にて受信された情報から把握されたブックマーク地点以後に対してのみ一部購買を要請する（Ｓ２２５５）。
ステップＳ２２５５にてブックマーク地点以後に対してのみ一部購買を要請する理由は、比較的価格の高いプレミアムコンテンツの購買料金を減らすためである。
【００７５】
ＣＰ１１３０は、購買要請されたプレミアムコンテンツの一部（ブックマーク地点以後のプレミアムコンテンツ）をＴＶ１１１０に送信する（Ｓ２２６０）。ＴＶ１１１０は、ステップＳ２２６０を介して受信されるプレミアムコンテンツの一部をダウンロードして再生する（Ｓ２２６５）。
これにより、ユーザは、携帯電話１１２０を介して鑑賞していたモバイルコンテンツを帰宅後にＴＶ１１１０を介してプレミアムコンテンツで鑑賞できるようになる。そして、プレミアムコンテンツ全体ではない鑑賞しない部分に対してのみ料金を支払えば良いので、合理的な価格でプレミアムコンテンツを鑑賞できるようになる。
【００７６】
＜９−２．モバイルコンテンツで鑑賞していた、再度見たい部分をプレミアムコンテンツで再度再生＞
前述した実施の形態では、ユーザが鑑賞完了した地点をマーキングするためにブックマークを利用した。しかしながら、ブックマークは、後に再度見たい部分をマーキングするためにも利用される。
このとき、ブックマークは、停止したシーンである「特定地点」に対して設定されることが可能であることはもちろん、「特定区間」に対して設定されることも可能である。すなわち、図２５に示すように、「Ｂｏｏｋｍａｒｋ１」と「Ｂｏｏｋｍａｒｋ２」との間の区間に対してブックマーク設定することが可能である。
ユーザが携帯電話１１２０を介してモバイルコンテンツで鑑賞しつつ後に再度見るためにブックマークした地点及び／又は区間に対しても、プレミアムコンテンツで再度再生することが可能であり、以下、図２６を参照して詳細に説明する。
【００７７】
＜９−２−１．携帯電話でモバイルコンテンツを再生＞
携帯電話でモバイルコンテンツを再生する過程である図２６のステップＳ２５０５〜Ｓ２５２５についての詳細な説明は、図２２に示すステップＳ２２０５〜Ｓ２２２５についての詳細な説明から類推可能なので、これについての詳細な説明は省略する。
ただし、ステップＳ２５２０にてユーザにより設定され、ステップＳ２５２５にて携帯電話１１２０に格納されるブックマークは、特定地点及び／又は特定区間でありえ、これは、ユーザが後に再度見たがる地点及び／又は区間に該当することに留意しなければならない。
【００７８】
＜９−２−２．モバイルコンテンツからプレミアムコンテンツで再度再生するための準備手順＞
モバイルコンテンツからプレミアムコンテンツで再度再生するための準備手順である図２６のステップＳ２５３０〜Ｓ２５４０についての詳細な説明は、図２２に示すステップＳ２２３０〜Ｓ２２４０についての詳細な説明から類推可能なので、これについての詳細な説明は省略する。
ただし、ステップＳ２５４５から提供されるＧＵＩは、「プレミアムコンテンツで再度再生を問い合わせるためのＧＵＩ」であって、具体的には、ブックマーク地点及び／又は区間のモバイルコンテンツに対して、モバイルコンテンツの代わりにプレミアムコンテンツで再度再生するか否かを問い合わせるためのＧＵＩであることに留意しなければならない。
【００７９】
＜９−２−３．ＴＶでプレミアムコンテンツで再度再生＞
ＴＶでプレミアムコンテンツで再度再生する過程である図２６のステップＳ２５５０〜Ｓ２５６５についての詳細な説明は、図２２に示すステップＳ２２５０〜Ｓ２２６５についての詳細な説明から類推可能なので、これについての詳細な説明は省略する。
ただし、ステップＳ２５５５とＳ２５６０とを介して購買されるプレミアムコンテンツは、ステップＳ２５４０にて受信された情報から把握されたブックマークされた地点及び／又は区間だけであり、ブックマークされた地点及び／又は区間に対してのみ課金される。
【００８０】
＜９．３  ＭＭＳで一部のみを受信したモバイルコンテンツをプレミアムコンテンツで再度再生＞
前述した実施の形態では、ユーザが携帯電話１１２０を介して購買したモバイルコンテンツを再度再生する場合を想定したが、購買したモバイルコンテンツの他に、他人からＭＭＳで受信したモバイルコンテンツの一部をプレミアムコンテンツで再度再生することも可能である。
ただし、この場合は、ＭＭＳで受信したモバイルコンテンツと同じ内容のプレミアムコンテンツをＣＰ１１３０が販売することが前提される。
以下、ＭＭＳで一部のみを受信したモバイルコンテンツをプレミアムコンテンツで再度再生する過程について、図２７を参照して詳細に説明する。
【００８１】
＜９−３−１．携帯電話でＭＭＳで受信されたモバイルコンテンツ再生＞
図２７に示すように、ＭＭＳでモバイルコンテンツの一部が受信されると（Ｓ２６０５）、携帯電話１１２０は、これをダウンロードして再生する（Ｓ２６１０）。これにより、ユーザは、携帯電話１１２０を介してモバイルコンテンツの一部を鑑賞できるようになる。
一方、ステップＳ２６０５にて受信されたＭＭＳには、モバイルコンテンツの一部が全体モバイルコンテンツのうちのどの区間に該当するかを案内するための情報も収録されている。例えば、モバイルコンテンツの一部が全体モバイルコンテンツ「０：００：００〜２：１０：００」のうち、「１：３０：００〜１：４０：００」に該当する区間であることを案内するための情報がＭＭＳに収録されている。
【００８２】
＜９−３−２．モバイルコンテンツからプレミアムコンテンツで再度再生するための準備手順＞
一方、ユーザが帰宅して携帯電話１１２０とＴＶ１１１０とが近距離に隣接すると（Ｓ２６１５）、携帯電話１１２０とＴＶ１１１０とは、相互通信できるように接続を設定する（Ｓ２６２０）。
ステップＳ２６２０の接続設定が完了すると、携帯電話１１２０は、コンテンツ＆区間情報をＴＶ１１１０に送信する（Ｓ２６２５）。ステップＳ２６２５を介して携帯電話１１２０からＴＶ１１１０に送信されるコンテンツ＆区間情報には、１）モバイルコンテンツに対する情報［例えば、このモバイルコンテンツのタイトル、回数（シーズン）］及び２）前述した区間に対する情報が含まれる。
以後、ＴＶ１１１０は、「プレミアムコンテンツで再度再生を問い合わせるためのＧＵＩ」を生成して表示する（Ｓ２６３０）。
【００８３】
＜９−３−３．ＴＶでプレミアムコンテンツで再度再生＞
ステップＳ２６３０を介して提供されたＧＵＩを介してユーザが「プレミアムコンテンツで再度再生」を命令すると（Ｓ２６３５−Ｙ）、ＴＶ１１１０は、ステップＳ２６２５にて受信されたコンテンツ情報から把握したモバイルコンテンツと同じ内容のプレミアムコンテンツ購買をＣＰ１１３０に要請するものの、ステップＳ２６２５にて受信された区間情報から把握された区間に対してのみ一部購買を要請する（Ｓ２６４０）。
ＣＰ１１３０は、購買要請されたプレミアムコンテンツの一部区間のみをＴＶ１１１０に送信する（Ｓ２６４５）。ＴＶ１１１０は、ステップＳ２６４５を介して受信されるプレミアムコンテンツの一部区間をダウンロードして再生する（Ｓ２６５０）。
これにより、ユーザは、携帯電話１１２０を介して鑑賞していたモバイルコンテンツの一部を帰宅後にＴＶ１１１０を介してプレミアムコンテンツで鑑賞できるようになる。
【００８４】
＜９−４．広告用に一部受信したモバイルコンテンツの全てをプレミアムコンテンツで再度再生＞
＜９−４−１．携帯電話で広告用に受信されたモバイルコンテンツの再生＞
図２８に示すように、ＣＰ１１３０から広告用に製作されたモバイルコンテンツの一部が受信されると（Ｓ２７０５）、携帯電話１１２０は、これをダウンロードして再生する（Ｓ２７１０）。これにより、ユーザは、携帯電話１１２０を介してモバイルコンテンツの一部を鑑賞できるようになる。
【００８５】
＜９−４−２．一部受信されたモバイルコンテンツの全てをプレミアムコンテンツで再生するための準備手順＞
一方、ユーザが帰宅して携帯電話１１２０とＴＶ１１１０とが近距離に隣接すると（Ｓ２７１５）、携帯電話１１２０とＴＶ１１１０とは、相互通信できるように接続を設定する（Ｓ２７２０）。
ステップＳ２７２０の接続設定が完了すると、携帯電話１１２０は、コンテンツ情報をＴＶ１１１０に送信する（Ｓ２７２５）。ステップＳ２７２５を介して携帯電話１１２０からＴＶ１１１０に送信されるコンテンツ情報には、モバイルコンテンツに対する情報［例えば、このモバイルコンテンツのタイトル、回数（シーズン）］が含まれる。
以後、ＴＶ１１１０は、「プレミアムコンテンツで全て再生を問い合わせるためのＧＵＩ」を生成して表示する（Ｓ２７３０）。
【００８６】
＜９−４−３．ＴＶでプレミアムコンテンツで全て再生＞
ステップＳ２７３０を介して提供されたＧＵＩを介してユーザが「プレミアムコンテンツで全て再生」を命令すると（Ｓ２７３５−Ｙ）、ＴＶ１１１０は、ステップＳ２７２５にて受信されたコンテンツ情報から把握したモバイルコンテンツと同じ内容のプレミアムコンテンツの全てに対する購買をＣＰ１１３０に要請する（Ｓ２７４０）。
ＣＰ１１３０は、購買要請されたプレミアムコンテンツの全てをＴＶ１１１０に送信する（Ｓ２７４５）。ＴＶ１１１０は、ステップＳ２７４５を介して受信されるプレミアムコンテンツの全てをダウンロードして再生する（Ｓ２７５０）。
これにより、ユーザは、携帯電話１１２０を介して一部のみ鑑賞できたモバイルコンテンツの全てを帰宅後にＴＶ１１１０を介してプレミアムコンテンツで鑑賞できるようになる。
【００８７】
＜９−５．高画質なコンテンツから低画質なコンテンツへの転換＞
上述した通り、ディスプレイ装置別にそのサイズ及び性能が相互に異なる。したがって、同じ内容のコンテンツであっても相異なる出力特性に応じて出力できる。例えば、ＴＶ１１１０のような固定型端末は、特定容量以上の高画質なコンテンツを再生できることに対し、携帯電話１１２０のように格納装置及びディスプレイパネルのサイズ及び性能が制約的な携帯型端末の場合には、相対的に容量の少ない低画質なコンテンツを再生することができる。
したがって、ＴＶ１１１０から携帯電話１１２０の順にシームレス再生がなされる場合には、高画質なコンテンツ再生から低画質なコンテンツ再生に転換できる。
【００８８】
具体的に説明すると、ユーザは、ＴＶ１１１０を介して高画質なコンテンツを再生して見る途中に、ＴＶ１１１０のない他の部屋へ移動するか、又は外出するケースが生じうる。この場合、ユーザがＴＶ１１１０や自身の携帯電話１１２０を利用してシームレス再生命令を入力すると、携帯電話１１２０は、現在ＴＶ１１１０で再生中であるコンテンツと同じ内容の低画質なコンテンツをコンテンツ提供者から提供されうる。さらに詳細に説明すれば、ユーザは、現在放送中であるコンテンツに対する情報を携帯電話１１２０に直接入力するか、又は携帯電話１１２０がＴＶ１１１０にコンテンツ情報を要請して受信することができる。これにより、獲得された情報を利用して、携帯電話１１２０は、コンテンツ提供者からＴＶ１１１０と相異なるバージョンのコンテンツ、例えば、低画質なコンテンツをダウンロードすることができる。この場合、全体コンテンツをダウンロードすることもできるが、シームレス再生命令が入力された時点以後のコンテンツのみをダウンロードすることもできる。
【００８９】
又はユーザがＴＶ１１１０や自身の携帯電話１１２０を利用してシームレス再生命令を入力すると、ＴＶ１１１０が再生中であるコンテンツを携帯電話１１２０に対応するバージョンのコンテンツに変換して送信することもできる。この場合、ＴＶ１１１０が該当コンテンツを予め格納しておいた状態であると、全体コンテンツ又は部分コンテンツを一度に低画質バージョンのコンテンツに変換した後提供できるが、リアルタイムで再生されていたコンテンツであると、ＴＶ１１１０は、そのコンテンツが外部から受信される通りに、低画質バージョンのコンテンツに変換して、携帯電話１１２０に送信することができる。
低画質バージョンのコンテンツへの変換には、ダウンスケーリングなどのような多様な技術を利用することができる。
【００９０】
＜９−６．外部機器の介入＞
上述した通り、シームレス再生は、窮極的には、ディスプレイ装置の間に行われる作業に該当する。しかしながら、このようなシームレス再生が正常に行われるためには、ホームサーバやＡＰ、ＣＰなどのような少なくとも一つの外部機器が介入されうる。
本発明のさらに他の実施の形態によれば、これらの外部機器のうちの一つが、そのディスプレイ装置の各々の属性情報を参考して、属性情報が相互に異なる場合、同じ内容の異なる属性のコンテンツを再生するように処理できる。
【００９１】
具体的に、ＴＶ、ホームサーバ、携帯電話からなるネットワークを例に挙げると、ＴＶでコンテンツ再生がなされるうちにシームレス再生を行うイベント、すなわち、携帯電話との距離が一定の距離を超過する場合、ＴＶがターン・オフされる場合、ユーザからシームレス再生命令が入力される場合などのイベントが発生できる。
この場合、ホームサーバは、シームレス再生を行う携帯電話を選定し、その携帯電話の属性に対応するコンテンツバージョンを選択することができる。これにより、ホームサーバは、コンテンツ提供者に選択されたバージョンのコンテンツを携帯電話に送信することを要請できる。又は、ホームサーバがコンテンツを直接格納している場合であると、ホームサーバがコンテンツを低画質バージョンに変換した後、携帯電話に送信することもできる。
このような作業のために、ホームサーバは、各装置の属性情報、例えば、解像度、ディスプレイサイズなどを予め格納しておくことができる。
【００９２】
＜９−７．その他＞
以上の実施の形態においてブックマーク情報は、携帯電話１１２０からＴＶ１１１０へ送信されると想定したが、これは、説明の便宜のための一例にすぎない。
ブックマーク情報は、携帯電話１１２０からＣＰ１１３０へ送信されるよう具現することも可能である。ただし、この場合には、ブックマーク情報を受信したＣＰ１１３０が「プレミアムコンテンツ購買問い合わせメッセージ」を生成してＴＶ１１１０に送信すると、ＴＶ１１１０が「プレミアムコンテンツで連続／再度再生を問い合わせるためのＧＵＩ」を生成して表示するように具現することが好ましい。
一方、ＣＰ１１３０は、ユーザがＴＶ１１１０を視聴できる状況になった時、「プレミアムコンテンツ購買問い合わせ」メッセージをＴＶ１１１０に送信することがさらに好ましい。ＣＰ１１３０は、１）ＴＶ１１１０に携帯電話１１２０が隣接したことをＴＶ１１１０から通報される場合や、２）ＴＶ１１１０がパワー−オンになったことをＴＶ１１１０から通報される場合に、ユーザがＴＶ１１１０を視聴できる状況になったと認知できる。
【００９３】
＜９−８．デバイスの詳細構成＞
＜９−８−１．ＴＶ＞
図２９は、ＴＶ１１１０の詳細ブロック図である。図２２に示すように、ＴＶ１１１０は、放送受信部１１１１、ディスプレイ１１１２、制御部１１１３、格納部１１１４及びネットワークインターフェース１１１５を備える。
放送受信部１１１１は、ＴＶ１１１０本然の機能を担当するブロックであって、空中（Ａｉｒ）、ケーブル、衛星などを介して放送を受信する。
ネットワークインターフェース１１１５は、周辺の携帯電話１１２０及びＣＰ１１３０と通信できるように接続される。ネットワークインターフェース１１１５は、ＣＰ１１３０から購買要請したコンテンツを送信される。
【００９４】
ディスプレイ１１１２は、放送受信部１１１１に受信された放送、ネットワークインターフェース１１１５を介して受信されるコンテンツ及び前述したＧＵＩがディスプレイされる。
格納部１１１４は、ＴＶ１１１０の駆動に必要なプログラムとデータ及びコンテンツが格納される格納空間を提供する。
制御部１１１３は、図２２〜図２８に示すステップのうち、ＴＶ１１１０で行われるステップが行われるように、放送受信部１１１１、ディスプレイ１１１２、格納部１１１４及びネットワークインターフェース１１１５を制御する。
【００９５】
＜９−８−２．携帯電話＞
図３０は、携帯電話１１２０の詳細ブロック図である。図３０に示すように、携帯電話１１２０は、移動通信部１１２１、タッチスクリーン１１２２、制御部１１２３、格納部１１２４及びネットワークインターフェース１１２５を備える。
移動通信部１１２１は、携帯電話１１２０本然の機能と付随的機能を担当するブロックであって、移動電話通話、ＳＭＳ、コンテンツダウンロード＆再生、撮影などを行う。
タッチスクリーン１１２２は、移動通信部１１２１の移動電話通話、ＳＭＳ提供に必要な画面、再生されるコンテンツ及び前述したＧＵＩがディスプレイされるディスプレイ手段の機能と、タッチを介したユーザ命令を入力される手段の機能を行う。
【００９６】
格納部１１１４は、携帯電話１１２０の駆動に必要なプログラムとデータ及びコンテンツが格納される格納空間を提供する。
ネットワークインターフェース１１２５は、周辺のＴＶ１１１０と通信できるように接続される。
制御部１１２３は、図２２〜図２８に示すステップのうち、携帯電話１１２０で行われるステップが行われるように、移動通信部１１２１、タッチスクリーン１１２２、制御部１１２３、格納部１１２４及びネットワークインターフェース１１２５を制御する。
【００９７】
＜９−８−３．他のデバイス＞
本実施の形態で言及したＴＶ１１１０と携帯電話１１２０とは、例示的なものにすぎない。これらは、他の種類のデバイスに代替可能である。
【００９８】
また、上述した様々な実施の形態は、低解像度のコンテンツ及び高解像度のコンテンツ間の変換に対してのみ記載しているが、コンテンツの変換は、単純に解像度の変換のみに限定されるものではない。すなわち、再生されるデバイスの特性に合うようにサイズ変更、カラー設定状態、輝度なども変更されうる。
【００９９】
また、上述した図２２〜図３０の記載によれば、高解像度のコンテンツは、ＣＰにより別途に具備されて提供されるかの様に説明したが、必ずこれに限定されるものではない。すなわち、予め確保されたコンテンツで、そのコンテンツの解像度やサイズなどの特性を変換できる信号変換プロセシングが可能な場合であると、ＴＶ１１１０や携帯電話１１２０から自体的にコンテンツを変換して再生することもできる。
【０１００】
すなわち、携帯電話１１２０を介してモバイルコンテンツを視聴中であるユーザが家に入った場合、家にあるＴＶ１１１０が携帯電話１１２０から残りのコンテンツ又は全体コンテンツやブックマーク情報などを受信した後、受信されたコンテンツ部分をＴＶ１１１０自体の出力特性に合うように変換して再生することもできる。このとき、携帯電話１１２０でも信号変換プロセッサが備えられている場合であると、携帯電話１１２０がコンテンツを変換した後、ＴＶ１１１０に提供することもできる。
【０１０１】
又は、反対の場合、すなわち、ＴＶ１１１０を介して高解像度のコンテンツを視聴中であるユーザが、携帯電話１１２０を携帯したまま外出するようになる場合、ＴＶ１１１０は、視聴しないコンテンツ部分や全体コンテンツ部分を携帯電話１１２０に直に送信するか、又は携帯電話１１２０の出力機能に対応するよう解像度の調整、スケーリングなどの信号処理を行った後送信することがことができる。ＴＶ１１１０から変換無しで送信された場合であると、携帯電話１１２０が自身の出力機能に合せて信号処理を行った後、再生することもできる。
【０１０２】
一方、上述した様々な実施の形態では、ＴＶ、携帯電話のような特定装置を利用して説明したが、本発明の思想は、必ずこれらの装置に限定されるものではない。すなわち、ＴＶだけでなく、ＰＣやノート型パソコンＰＣ、モニターなどの各種ディスプレイ装置、一般携帯電話だけでなく、ノート型ＰＣ、ＰＤＡ、ＭＰ３プレーヤー、スマートフォンなどのような多様な携帯型端末装置などで具現されることもできる。
【０１０３】
また、上述した様々な実施の形態では、ＴＶ、すなわち、ディスプレイ装置と携帯電話、すなわち、携帯型端末装置の間にホームサーバ、ＡＰ、ＣＰなどが介入すると説明したが、必ずこれに限定されるものではない。すなわち、ディスプレイ装置と携帯型端末装置との間に直接的な通信がなされることもできる。すなわち、コンテンツと関連した各種情報やコンテンツ自体などがディスプレイ装置及び携帯型端末装置の間で直接送受信されることもできる。また、上述したホームサーバ、ＡＰ、ＣＰなどが介入される場合は、ディスプレイ装置及び携帯型端末装置の間で間接的に通信がなされると見なされる。したがって、本明細書では、上述した様々な機器が介入するシステムの場合にも、ディスプレイ装置及び携帯型端末装置の間でコンテンツに対するシームレス再生がなされると説明できる。
【０１０４】
また、上述した様々な実施の形態では、ディスプレイ装置及び携帯型端末装置間の距離変化、パワー・オフ有無などのような各種イベントが発生した場合に、コンテンツのシームレスな再生がなされたかの様に説明したが、これと相異なるイベントでもコンテンツのシームレスな再生がなされうることはもちろんである。すなわち、コンテンツのシームレスな再生のためのメニューが別途に選択されて、そのメニューが選択されるイベント、予め設定された時間が渡来するイベント、機器異常が発生するイベントなどの場合にも、他のデバイスでのシームレス再生がなされるように具現できる。
【０１０５】
一方、上述した様々な実施の形態では、ディスプレイ装置から携帯電話に、又は携帯電話からディスプレイ装置方向にシームレスにコンテンツが再生される。この場合、ユーザの選択によって、全体コンテンツが再度再生されうるが、以前装置で再生停止した地点や、ユーザがマーキングしておいた地点からのコンテンツが再生されうる。
このように、次の装置で一部コンテンツ部分のみが再生されることは、多様な方式でなされることができる。
【０１０６】
一例として、次の装置は、以前装置や、ホップサーバ、ＡＰ、ＣＰなどの外部装置のうちの何れか一つから全体コンテンツではない一部コンテンツのみを提供されることができる。コンテンツを再生していた装置（すなわち、ディスプレイ装置又は携帯型端末装置）は、シームレス再生を行わなければならない予め設定されたイベントが発生すると、コンテンツ再生を停止するようになる。この場合、該当装置は、全体コンテンツのうち、停止した時点以後のコンテンツ部分を他の装置、すなわち、シームレス再生を行う次の装置に送信することができる。
【０１０７】
又は、コンテンツが別途に設けられたＣＰなどの外部装置から次の装置に送信される場合には、以前装置は、その停止したコンテンツ部分に対する情報をホップサーバ、ＡＰ、ＣＰなどの外部装置などに提供することができる。これにより、該当外部装置が停止した部分の次のコンテンツから次の装置に送信することができる。ここで、停止したコンテンツ部分に対する情報は、フレーム番号、全体コンテンツの再生時間のうち、停止した時点に対する情報、フィールド番号などの多様な情報になりうる。
【０１０８】
他の例として、コンテンツ再生中であった装置は、停止したコンテンツ部分に対する情報のみを直間接的に次の装置に送信することもできる。この場合、次の装置は、全体コンテンツをコンテンツ提供者から送信されても、停止したコンテンツ部分の次の部分から再生することができる。この場合、上述した通りに、次の装置は、全体コンテンツではない停止したコンテンツの次の部分からのコンテンツのみをコンテンツ提供者に要請して、受信した後再生できることはもちろんである。
さらに他の例として、停止した部分ではなくユーザがブックマークを設定しておいた部分からコンテンツ再生がなされうる。
【０１０９】
ディスプレイ装置で再生されるコンテンツと携帯型端末装置で再生されるコンテンツとが相互にフォーマットが異なっても、コンテンツの内容自体は同一なので、上述した方式のように具現するようになれば、停止時点やフレーム番号、ブックマークを利用してコンテンツの停止時点及びシームレス再生時点間の同期を合せるようになる。
一方、この他にも、ディスプレイ装置と携帯型端末装置との間で同期信号を利用してシームレス再生を行うこともできる。すなわち、再生されるデータ部分のみをシームレスにすることではなく、再生されるタイミング自体を同期させることができる。このような同期信号は、ディスプレイ装置や携帯型端末装置で直接生成して送受信しうるが、ホームサーバやＡＰ、ＣＰのような外部装置で生成されて各装置に提供されることもできる。
【０１１０】
また、以上では、本発明の好ましい実施の形態について図示し説明したが、本発明は、上述した特定の実施の形態に限定されず、請求の範囲で請求する本発明の要旨から逸脱せずに当該発明が属する技術分野における通常の知識を有した者により多様な変形実施が可能なことはもちろんであり、このような変形実施は、本発明の技術的思想や展望から個別的に理解されてはならない。
【符号の説明】
【０１１１】
１１０    ＴＶ
１２０    ホームサーバ
１３０    ＡＰ
１４０    携帯電話
Ｉ  インターネット
Ｍ  移動通信網
【図１】
2011045082.tif 000003
【図２】
2011045082.tif 000004
【図３】
2011045082.tif 000005
【図４】
2011045082.tif 000006
【図５】
2011045082.tif 000007
【図６】
2011045082.tif 000008
【図７】
2011045082.tif 000009
【図８】
2011045082.tif 000010
【図９】
2011045082.tif 000011
【図１０】
2011045082.tif 000012
【図１１】
2011045082.tif 000013
【図１２】
2011045082.tif 000014
【図１３】
2011045082.tif 000015
【図１４】
2011045082.tif 000016
【図１５】
2011045082.tif 000017
【図１６】
2011045082.tif 000018
【図１７】
2011045082.tif 000019
【図１８】
2011045082.tif 000020
【図１９】
2011045082.tif 000021
【図２０】
2011045082.tif 000022
【図２１】
2011045082.tif 000023
【図２２】
2011045082.tif 000024
【図２３】
2011045082.tif 000025
【図２４】
2011045082.tif 000026
【図２５】
2011045082.tif 000027
【図２６】
2011045082.tif 000028
【図２７】
2011045082.tif 000029
【図２８】
2011045082.tif 000030
【図２９】
2011045082.tif 000031
【図３０】
2011045082.tif 000032